(57)【要約】      （修正有）【課題】ランドの形状を工夫するだけの比較的簡単な構成でねじの緩みを防止して、配線板とケース等支持部材との結合を強固にできる電気機器およびこの電気機器を放電灯点灯装置として使用する照明装置を提供する。【解決手段】配線板１を支持部材４に固定するには、支持部材４の貫通孔８、配線板１のねじ挿通孔７をねじのねじ部を貫通させ、配線板１の一面側にてねじ部とナット６とを螺合して締め付ける。ついで、ナット６およびねじ部の先端側を覆うよう、かつ、ランド９と接続するようにハンダ１０を盛る。このハンダ１０を盛る際には加熱されるが、ナット６と配線板１との間には実質ハンダが存在していないから、ハンダが溶けて隙間が生じることがない。したがって、ナット６が緩んで支持部材４との結合が不安定になることがない。【選択図】図３
2008251962.tif 000002
【特許請求の範囲】
【請求項１】
一面側にグランドパターンに接続されたランドを有するとともにランドの略中央部にねじ挿通孔を有する配線板と；
配線板とねじ固定するための貫通孔を有する支持部材と：
配線板の他面側から支持部材の貫通孔、配線板のねじ挿通孔をねじ部が挿通するねじ、および配線板の一面側でねじ部に螺合して配線板および支持部材を固定するナットと：
ナットおよびランドを接続するハンダと：
を具備し、
前記配線板のランドは、前記ナットの最大外形より大きい寸法に形成されているとともに、前記ナットの回動範囲内には導電部が形成されていないことを特徴とする電気機器。
【請求項２】
前記配線板に装着された電気部品によって放電灯点灯装置を構成するものである請求項１記載の電気機器と：
この電気機器によって点灯される放電灯と：
放電灯を支持する照明器具本体と：
を具備していることを特徴とする照明装置。
【発明の詳細な説明】
【技術分野】
【０００１】
本発明は、配線板のグランド電位に配線板を収納するケースや他の装置を接続するためにねじおよびナットを利用する電気機器およびこの電気機器を用いた照明装置に関するものである。
【背景技術】
【０００２】
配線板のグランドラインに配線板を収納するケースや照明器具のシャーシ等を接続する場合には、電気部品を配線板の他面側に装着し、配線板の一面側にて電気部品のリード端子とランドとをハンダ付けした後、配線板の他面側にケースやシャーシの一部を重合し、他面側からねじのねじ軸部をケース等の一部および配線板を貫通させ、配線板の一面側にてナットと螺合するようにしている。
【０００３】
この場合、配線板の一面側にはグランドパターンに接続されたランドが形成され、このランドの略中央にはねじ挿通孔が形成され、ケースやシャーシの一部にはねじの貫通孔が形成されている。
【０００４】
したがって、電気部品のリード端子とランドとをハンダ付けする際にハンダ漕をフローして行うような場合には、グランドパターンに接続されたランドにもハンダが付着するものであった。
【０００５】
このように既にランドにハンダが付着している場合、ねじ及びナットで固定すると、ナットがハンダ上に乗っている状態で締め付けられる。しかし、ハンダは比較的軟らかく、かつ、ハンダ上面は狭く非平面的であるため締め付け力が不安定なものである。
【０００６】
したがって、ねじとナットとを締め付けた後、ナットを覆うようにしてランドと接続するハンダを盛ることが考えられる
【０００７】
しかし、この場合には、ハンダを盛る際の温度によりナットが乗り上げているハンダが溶融してしまうことがあった。このように、ナットおよびランド間のハンダが溶融すると、ナットの締め付け力が低下し、緩んでしまうことがあった。
【０００８】
なお、ねじ頭部のばりによりハンダ切削片が生じるのを防止するために、グランドパターンに接続されたランドの直径をねじ頭部の直径より小さくすることが特許文献１に示されている。
【特許文献１】特開２００６−２１０６８６号公報
【発明の開示】
【発明が解決しようとする課題】
【０００９】
上述のように、ハンダの溶融によりねじおよびナットの締め付けが緩んでしまうと、配線板とケースまたはシャーシ等との結合が不安定になるばかりでなく、電気接続も不安定になって所望のアースを得られなくなる虞がある。
【００１０】
また、特許文献１のものは、ねじ頭部とランドとの間のハンダを平面的に形成するのが困難であり、ねじが曲がった状態で締め付けられることがあり、この場合、長期の使用によりねじが緩む心配がある。また、このねじ緩みを防止しようとして、ねじ頭部を覆うようにしてハンダを盛る場合には、上述のようにねじ頭部とランドとの間のハンダが溶融してねじが緩むことがある。
【００１１】
本発明は、ランドの形状を工夫するだけの比較的簡単な構成でねじの緩みを防止して、配線板とケース等支持部材との結合を強固にできる電気機器およびこの電気機器を放電灯点灯装置として使用する照明装置を提供することを目的とする。
【課題を解決するための手段】
【００１２】
請求項１に記載の電気機器は、一面側にグランドパターンに接続されたランドを有するとともにランドの略中央部にねじ挿通孔を有する配線板と；配線板とねじ固定するための貫通孔を有する支持部材と：配線板の他面側から支持部材の貫通孔、配線板のねじ挿通孔をねじ部が挿通するねじ、および配線板の一面側でねじ部に螺合して配線板および支持部材を固定するナットと：ナットおよびランドを接続するハンダと：を具備し、前記配線板のランドは、前記ナットの最大外形より大きい寸法に形成されているとともに、前記ナットの回動範囲内には導電部が形成されていないことを特徴とする。
【００１３】
本発明において、以下の用語の意味または適用範囲はつぎのように定義するものとする。配線板は、その材質は限定されないし、電路が片面にのみ設けられたもの、また、表裏に形成されたいわゆる両面配線板、あるいは電路が複数層形成された多重配線板であってもよい。さらに、配線板は一枚に必要な電気部品の全てを装着して電気機器を構成する他、複数枚で電気機器を構成するものであってもよい。
【００１４】
支持部材としては、ケースや照明器具のシャーシの他、シャーシに取り付けるための取り付け脚等どのようなものであってもよい。
【００１５】
ハンダは、材料によって限定されるものではない。したがって、例えば鉛含有ハンダでも鉛フリーハンダでもよい。
【００１６】
配線板のランドが、ナットの最大外形より大きい寸法に形成されているとともに、ナットの回動範囲内には導電部が形成されていないとは、実際にランドを形成しない場合の他、ランドは形成されているがナットの回動範囲部分をレジスト層で被覆されているような場合のいずれをも包含することを意味している。
【００１７】
また、ランドの導電部が形成されない範囲は、実質ナットの回動範囲内であるが、ハンダの表面張力を考慮してもランドとナットとの間に存在するハンダが無視できる程度であれば、わずかにナットの回動範囲内に至るものも包含するものである。これは、ハンダの量がわずかであれば、ナットの締め付けにより実質ハンダが介在することによる隙間を生じることがないためである。
【００１８】
電気機器は、その種類が限定されるものではなく、各種のものに採用し得る。
【００１９】
つぎに、本発明の特徴的作用について説明する。配線板の他面側に電気部品を装着し、ハンダ漕をフローする等の手段にて配線板の一面側にハンダを付着して電気部品と部品用ランドとを電気的および機械的に接続する。この場合、グランドパターンのランドにもハンダが付着される。この配線板をケースやシャーシ等の支持部材に固定するには、配線板の他面側から支持部材、配線板をねじのねじ部を貫通させ、配線板の一面側にてねじ部とナットとを螺合して締め付ける。この際、ナットと配線板との間には実質ハンダが存在しない。ついで、ナットおよびねじ部の先端側を覆うよう、かつ、ランドと接続するようにハンダを盛る。このハンダを盛る際には加熱されるが、ナットと配線板との間には実質ハンダが存在していないから、ハンダが溶けて隙間が生じることがない。したがって、ナットが緩んで支持部材との結合が不安定になることがない。
【００２０】
請求項２に記載の照明装置は、前記配線板に装着された電気部品によって放電灯点灯装置を構成するものである請求項１記載の電気機器と：この電気機器によって点灯される放電灯と：放電灯を支持する照明器具本体と：を具備していることを特徴とする。
【発明の効果】
【００２１】
請求項１記載の発明は、配線板と支持部材とを結合するねじの緩みを防止して、結合が強固な電気機器を提供できる。
【００２２】
請求項２記載の発明は、請求項１記載の発明の電機機器としての放電灯点灯装置を用いるから、安全性の高い照明装置を提供できる。
【発明を実施するための最良の形態】
【００２３】
本発明の一実施形態を図１ないし図３を参照して説明する。図１は電気機器の実施形態を示す平面図、図２は同じく配線板および支持部材の結合状態を示す部分拡大正面図、図３はランドおよびナットの関係を示す部分拡大底面図である。
【００２４】
図１において、配線板１には複数個の電気部品２、…、３が搭載されている。これら電気部品２、…、３は例えば放電灯点灯装置を構成するものである。
【００２５】
これら放電灯点灯装置の各回路を構成する電気部品が配線板１の表面側および必要に応じて裏面側の一部に設けられる。配線板１の裏面側には電路およびこの電路に連続するランドが形成されている。
【００２６】
このような配線板１は、支持部材４にねじ５およびナット６によって結合される。すなわち、配線板１にはねじ挿通孔７が設けられているとともに、支持部材４には貫通孔８が設けられている。
【００２７】
そして、配線板１の他面側に電気部品２、…、３を装着した後、ハンダ漕をフローする等の手段にて配線板１の一面側にハンダを付着して電気部品２、…、３と部品用ランドとを電気的および機械的に接続する。この場合、グランドパターンのランドにもハンダが付着される。この配線板１を支持部材４に固定するには、配線板の他面側から支持部材４の貫通孔８、配線板１のねじ挿通孔７をねじのねじ部を貫通させ、配線板１の一面側にてねじ部とナット６とを螺合して締め付ける。この際、ナット６と配線板１との間には実質ハンダが存在しない。ついで、ナット６およびねじ部の先端側を覆うよう、かつ、ランド９と接続するようにハンダ１０を盛る。このハンダ１０を盛る際には加熱されるが、ナット６と配線板１との間には実質ハンダが存在していないから、ハンダが溶けて隙間が生じることがない。したがって、ナット６が緩んで支持部材４との結合が不安定になることがない。
【００２８】
なお、図３においては、簡略化のためにランド９に電気接続して形成されているグランドパターンを省略している。
【００２９】
図４は照明装置の一実施形態を示す斜視図である。本実施形態の照明装置は天井直付形のいわゆるトラフ形の照明装置である。照明器具本体７０は、その長手方向の両端部に一対のソケット７１、７１を有し、このソケット７１、７１側の面を反射面としている。
【００３０】
前記ソケット７１、７１には直管形の放電灯７３を取り付けている。また、照明器具本体７０の内部には、前記放電灯７３を点灯するための放電灯点灯装置７４が配設されている。
【図面の簡単な説明】
【００３１】
【図１】本発明の電気機器の実施形態を示す平面図。
【図２】同じく配線板および支持部材の結合状態を示す部分拡大正面図。
【図３】同じくランドおよびナットの関係を示す部分拡大底面図。
【図４】本発明の照明装置の一実施形態を示す簡略化した斜視図。
【符号の説明】
【００３２】
１…配線板、２、３…電気部品、４…支持部材、５…ねじ、６…ナット、９…ランド、１０ハンダ、７０…照明器具本体、７４…放電灯点灯装置。
【図１】
2008251962.tif 000003
【図２】
2008251962.tif 000004
【図３】
2008251962.tif 000005
【図４】
2008251962.tif 000006